(57)【要約】      （修正有）【課題】袋状収納部と照明装置とを備え、比較的簡易な構成で、袋状収納部の内外の比較的広域を照らせるようにする照明付きバッグを提供する。【解決手段】照明装置４は、線状の光散乱体１０と、この光散乱体１０の長手方向一端側から光を入射する発光体と、この発光体を発光させるための駆動ユニット１２とを含む。光散乱体１０は、その長手方向一端側から入射される光を長手方向全域から外部へ散乱するものであり、袋状収納部２の内側と外側とに露呈する状態で取り付けられている。【選択図】図８
0003180653.tif 000002
【実用新案登録請求の範囲】
【請求項１】
袋状収納部と照明装置とを備える照明付きバッグであって、
前記照明装置は、線状の光散乱体と、この光散乱体の長手方向一端側から光を入射する発光体と、この発光体を発光させるための駆動ユニットとを含み、
前記光散乱体は、その長手方向一端側から入射される光を長手方向全域から外部へ散乱するものであり、前記袋状収納部の内側と外側とに露呈する状態で取り付けられている、ことを特徴とする照明付きバッグ。
【請求項２】
請求項１に記載の照明付きバッグにおいて、
前記発光体はＬＥＤとされ、前記光散乱体は前記袋状収納部の前面側に設置され、
前記袋状収納部の内側には前記駆動ユニットを収納保持するためのポケットが設けられる、ことを特徴とする照明付きバッグ。
【請求項３】
請求項１または２に記載の照明付きバッグにおいて、
前記袋状収納部には、人体に装着可能とするためのベルトが設けられる、ことを特徴とする照明付きバッグ。
【考案の詳細な説明】
【技術分野】
【０００１】
この考案は、袋状収納部と照明装置とを備える照明付きバッグに関する。
【背景技術】
【０００２】
例えば特許文献１に示されているウエストポーチは、そのポーチ部の前面に複数のＬＥＤ（ライト・エミッティング・ダイオード）を横一列に所定間隔おきに設置した構成になっている。
【０００３】
この特許文献１の場合、前記複数のＬＥＤを前記ポーチ部の前面から外側に露呈させる状態に設置していて、点滅させる形態で駆動するようにしている。これにより、前記ウエストポーチを装着している歩行者に接近してくる自動車等の運転者は、遠くからでも歩行者の存在を認識できるようになる。
【０００４】
例えば特許文献２に示すＬＥＤランプ付きカバン状体は、カバン状体の外面に当該カバン状体を一周するように帯状または紐状の光ファイバ集積体を設け、この光ファイバ集積体の一端側および他端側を所定間隔離して対向させ、当該一端側と他端側とにそれぞれＬＥＤランプを設置し、２つのＬＥＤランプから発する光を光ファイバ集積体の一端側および他端側に入射させるようにしている。
【０００５】
そして、前記光ファイバ集積体の長手方向数ヶ所に切欠部を形成することにより、当該光ファイバ集積体の一端側および他端側から入射される光を前記各切欠部から外部に放出させるようにしている。
【０００６】
この特許文献２の場合、前記カバン状体の外面に前記光ファイバ集積体の放光部（切欠部）を露呈させる状態にしていて、前記２つのＬＥＤランプを点滅させる形態で駆動するようにしている。これにより、前記２つのＬＥＤランプを発光させると、前記光ファイバ集積体の長手方向数ヶ所の切欠部の位置で発光しているような状態になる。
【０００７】
例えば特許文献３に示されている携帯用収納具照明装置は、鞄などの携帯用収納具の内部を照射できるように光源を取り付けるとともに、前記携帯用収納具の外部を照射できるように光源を取り付けるようにしている。
【０００８】
この特許文献３の場合、前記２つの光源をＬＥＤ、電球などとし、点灯させる形態で駆動するようにしている。これにより、前記２つの光源を発光させると、携帯用収納具の内部および外部の局所が照らされるようになる。
【先行技術文献】
【特許文献】
【０００９】
【特許文献１】実用新案登録第３００８４８５号公報
【特許文献２】実用新案登録第２５５９１３９号公報
【特許文献３】特開２００４−２９０６２６号公報
【考案の概要】
【考案が解決しようとする課題】
【００１０】
特許文献１，２の従来例では、前記ＬＥＤが発する光で所定間隔おきの局所を照らすようになっているために、ポーチ部およびカバン状体の内部の広域を途切れなく照らすには多くのＬＥＤが必要になるなど、設備コストが無駄に嵩むことが懸念される。
【００１１】
また、上記特許文献１、２の従来例は、いずれも、ポーチ部およびカバン状体の外部を照らすようにＬＥＤを設置していて、ポーチ部およびカバン状体の内部を照らすようにはなっていない。
【００１２】
一方、上記特許文献３の従来例は、携帯用収納具の内部と外部とを照らすことができるようになっているが、内部を照射するための光源と外部を照射するための光源とが必要であって、設備コストが無駄に嵩むことが懸念される。また、上記特許文献３の従来例では、前記光源が局所を照らすスポットライトのようなものであるために、前記携帯用収納具内外の広域を照らすことが難しいと言える。
【００１３】
このような事情に鑑み、本考案は、袋状収納部と照明装置とを備える照明付きバッグにおいて、比較的簡易な構成で、袋状収納部の内外の比較的広域を照らせるようにすることを目的としている。
【課題を解決するための手段】
【００１４】
本考案は、袋状収納部と照明装置とを備える照明付きバッグであって、前記照明装置は、線状の光散乱体と、この光散乱体の長手方向一端側から光を入射する発光体と、この発光体を発光させるための駆動ユニットとを含み、前記光散乱体は、その長手方向一端側から入射される光を長手方向全域から外部へ散乱するものであり、前記袋状収納部の内側と外側とに露呈する状態で取り付けられている、ことを特徴としている。
【００１５】
この構成の照明付きバッグでは、単一の発光体で発した光を光散乱体に入射させて、この光散乱体に入射される光を当該光散乱体の長手方向全域から外部に散乱させるようにしている。
【００１６】
これにより、単一の発光体を用いながら、前記広域に途切れなく散乱される光が袋状収納部の内側と外側との広域に届くようになるから、前記袋状収納部の内側の広域を照らすことが可能になるとともに、照明付きバッグの袋状収納部の外側の広域を照らすことが可能になる。
【００１７】
その結果、前記照明付きバッグの内側が暗い場合でも前記袋状収納部の収納物を目視しやすくなり、また、前記照明付きバッグの外側が暗い場合でも前記袋状収納部の外側の雰囲気を目視しやすくなる他、前記照明付きバッグの外側に放出される光によって当該照明付きバッグを持っている人を例えば車両運転者などの第三者が発見しやすくなる。
【００１８】
好ましくは、前記照明付きバッグにおいて、前記発光体はＬＥＤとされ、前記光散乱体は前記袋状収納部の前面側に設置され、前記袋状収納部の内側には前記駆動ユニットを収納保持するためのポケットが設けられる、構成とすることができる。
【００１９】
この場合、発光体を省電力駆動されるＬＥＤとしているから、その駆動電源として電池を用いる場合に当該電池の長寿命化が可能になる。また、前記光散乱体を前記袋状収納部の前面側に設置していると、前記照明付きバッグの外側に放出される光によって当該照明付きバッグを持っている人を例えば車両運転者などの第三者がさらに発見しやすくなる。さらに、前記袋状収納部の内側にポケットを設けているから、そこに前記駆動ユニットを簡単に収納保持することが可能になる。
【００２０】
好ましくは、前記袋状収納部には、人体に装着可能とするためのベルトが設けられる、構成とすることができる。
【００２１】
この場合、ベルトを用いることにより、照明付きバッグを人体の腰周りに巻き付ける形態にしたり、背中に斜め掛けする形態にしたり、あるいは肩下げの形態にしたりすることが可能になる。
【考案の効果】
【００２２】
本考案は、袋状収納部と照明装置とを備える照明付きバッグにおいて、比較的簡易な構成で、袋状収納部の内外の比較的広域を照らすことが可能になる。
【図面の簡単な説明】
【００２３】
【図１】本考案の照明付きバッグの一実施形態を前面側から示す斜視図である。
【図２】図１の照明付きバッグの上蓋を開いた状態を示す斜視図である。
【図３】図１の照明付きバッグを背面側から示す斜視図である。
【図４】図２の照明装置単体を示す斜視図である。
【図５】図４に示す光散乱体と発光体との相対的な位置関係を説明するための断面図である。
【図６】図４の駆動ユニットの駆動電源を示す斜視図である。
【図７】図４の駆動ユニットの構成を示す図である。
【図８】図２において照明装置を点灯させた状態を示す斜視図である。
【図９】図１の照明付きバッグとしてのウエストポーチの使用状態を示す図である。
【考案を実施するための形態】
【００２４】
以下、本考案を実施するための最良の実施形態について添付図面を参照して詳細に説明する。
【００２５】
図１から図９に、本考案の照明付きバッグの一実施形態を示している。この照明付きバッグ１は、ウエストポーチと呼ばれるものであって、袋状収納部２にベルト３Ｌ，３Ｒを取り付けた構成になっている。
【００２６】
袋状収納部２およびベルト３Ｌ，３Ｒは、適宜の布、合成皮革あるいは天然皮革などのような素材で形成される。袋状収納部２には、照明装置４が取り付けられている。
【００２７】
袋状収納部２は、平面視で半円形のような形をしており、その上面は開閉可能な上蓋２ａとされている。この上蓋２ａの直線部分が袋状収納部２の背面２ｂの上部に縫い付けられており、また、上蓋２ａの曲線部分と袋状収納部２の前面２ｃの上部とに線ファスナー５が取り付けられている。
【００２８】
この線ファスナー５により上蓋２ａの曲線部分が開閉可能とされており、線ファスナー５を開放操作すると、図２に示すように、上蓋２ａと袋状収納部２の上面が開放されることになる。
【００２９】
また、この袋状収納部２において長方形の平坦な背面２ｂには、図３に示すように、扁平なポケット（図示省略）を形成するための長方形のメッシュ状のカバー２ｄが重ね合わされるように縫い付けられている。
【００３０】
具体的に、カバー２ｄの左右両側部と下部とは、袋状収納部２の背面２ｂに縫い付けられているが、このカバー２ｄの上辺と背面２ｂの上辺寄りとには、線ファスナー６が取り付けられている。
【００３１】
図示していないが、線ファスナー６を開放操作すると、カバー２ｄと袋状収納部２の背面２ｂとの対向間に存在する扁平なポケットが開放されることになり、また、線ファスナー６を閉じ操作すると、カバー２ｄと袋状収納部２の背面２ｂとの対向間に存在する扁平なポケットが閉塞される。
【００３２】
ベルト３Ｌの長手方向一端は袋状収納部２の長手方向一側に、また、ベルト３Ｒの長手方向一端は袋状収納部２の長手方向他側にそれぞれ縫い付けられている。
【００３３】
そして、ベルト３Ｌの長手方向他端にはバックル７のメス部材７Ｌが、また、ベルト３Ｒの長手方向他端にはバックル７のオス部材７Ｒがそれぞれ取り付けられている。
【００３４】
このバックル７は、オス部材７Ｒとメス部材７Ｌとを組み合わせた公知の構成であり、オス部材７Ｒとメス部材７Ｌとをスナップフィットさせることにより一対のベルト３Ｌ，３Ｒを連結する状態と分離する状態とに切り替えるものである。
【００３５】
片方のベルト３Ｒの適宜位置には、その全長サイズを調整するためのアジャスター８が取り付けられている。このアジャスター８は、矩形枠の対向する２つの直線部分に１つの棒体を掛け渡したような形状の公知の部材からなる。
【００３６】
照明装置４は、図４に示すように、線状の光散乱体１０と、この光散乱体１０の長手方向一端側から光を入射する発光体１１と、この発光体１１を発光させるための駆動ユニット１２とを含んだ構成である。
【００３７】
光散乱体１０は、その長手方向一端側から入射される光を長手方向全域から外部へ散乱するものである。この光散乱体１０は、袋状収納部２の前面２ｃの上辺寄りで左右方向ほぼ全域に袋状収納部２の内側と外側とに露呈する状態で設置されている。
【００３８】
具体的に、この光散乱体１０は、帯状の透明袋１３の中に入れられている。袋状収納部２の前面において上辺寄りで左右方向ほぼ全域には帯状開口窓２ｅが設けられており、この帯状開口窓２ｅに前記光散乱体１０を入れた透明袋１３が合致して嵌め合わされるように取り付けられている。この取り付けは、透明袋１３の２つの長辺を前記帯状開口窓２ｅの上縁および下縁に縫い付ける形態とされている。
【００３９】
発光体１１は、ＬＥＤとされている。そして、この発光体１１は、図５に示すように、当該発光体１１から発する光を光散乱体１０の長手方向一端側に入射させるような位置に設置されている。
【００４０】
具体的に、光散乱体１０は、チューブ状クラッド材１０ａと、このチューブ状クラッド材１０ａ内に収容される非晶質コア材１０ｂとを含んだ構成である。この光散乱体１０の長手方向一端側に発光体１１をジョイントチューブ１４を介して配置されている。
【００４１】
駆動ユニット１２は、図７に示すように、直流の駆動電源２１と、発光体１１に一定の電流を供給するための電流制限回路２２と、オン・オフを切り替えるためのスイッチ２３とを備えている。
【００４２】
駆動電源２１は、例えば図６に示すように、複数の単４形の乾電池２５と、これら複数の乾電池２５を直列接続する状態で収納する電池ボックス２６とされる。電流制限回路２２およびスイッチ２３は、駆動電源２１と発光体１１とを接続する配線２４の途中に直列に接続されている。
【００４３】
この駆動ユニット１２の電池ボックス２６は、図２に示すように、袋状収納部２の内ポケット２ｆ内に収納保持されるようになっている。これにより、電池ボックス２６が袋状収納部２内に安定した状態で邪魔にならないように収納することが可能になる。
【００４４】
このような照明付きバッグ１の使用形態を説明する。図９に示すように、照明付きバッグ１を人体の腰周りに巻き付けてベルト３Ｌ，３Ｒを一体に連結することができる。あるいはベルト３Ｌ，３Ｒを予め一体に連結しておけば、背中に斜め掛けする形態で使用することが可能である他、肩に下げる形態で使用することが可能である。
【００４５】
そして、照明付きバッグ１において、駆動ユニット１２のスイッチ２３をオンにすると、発光体１１が発光して、この光が光散乱体１０の長手方向一端側に入射されることになる。この光散乱体１０の長手方向一端側に入射された光は、光散乱体１０の長手方向全域に伝達されつつ、当該光散乱体１０の長手方向全域から外部へ散乱されるようになる。
【００４６】
この光散乱体１０から外部へ途切れなく散乱される光は、図８に示すように、袋状収納部２の前面２ｃの帯状開口窓２ｅを経て袋状収納部２の内側と外側との広域に届くようになる。これにより、袋状収納部２の内側の広域を照らすことが可能になるとともに、袋状収納部２の外側の広域を照らすことが可能になる。
【００４７】
以上説明したように本考案を適用した実施形態に係る照明付きバッグ１は、単一の発光体１１を発光させることによって、袋状収納部２の内側の広域を照らすことが可能になるとともに、袋状収納部２の外側の広域を照らすことが可能になる。
【００４８】
これにより、比較的簡易な構成でありながら、照明付きバッグ１の内側が暗い場合でも袋状収納部２内の収納物を目視しやすくなり、また、照明付きバッグ１の外側が暗い場合でも袋状収納部２の外側の雰囲気を目視しやすくなる。
【００４９】
この他、照明付きバッグ１袋状収納部２の外側を照らす光によって当該照明付きバッグ１を持っている人を例えば車両運転者などの第三者が発見しやすくなるので、特に夜間の交通事故を回避するのに役立つ他、山中などにおいて万一迷ったとしても第三者から発見される可能性を高めるのに役立つ。
【００５０】
また、この実施形態では、照明付きバッグ１の発光体１１を省電力駆動されるＬＥＤとしているから、その駆動電源２１としての乾電池２５の長寿命化が可能になる。
【００５１】
なお、本考案は、上記実施形態のみに限定されるものではなく、特許請求の範囲内及び当該範囲と均等の範囲内で適宜に変更することが可能である。
【００５２】
（１）上記実施形態では、照明付きバッグ１をウエストポーチとする例を挙げているが、本考案はそれのみに限定されるものではない。
【００５３】
本考案に係る照明付きバッグ１は、図示していないが、例えば背中に斜め掛け形態とする背面バッグとしたり、人の肩に掛ける形態とするショルダーバッグ、手持ち形態とする手提げバッグなどとすることも可能である。
【００５４】
（２）上記実施形態では、照明装置４の光散乱体１０を照明付きバッグ１の袋状収納部２の前面２ｃに設置した例を挙げているが、本考案はそれのみに限定されるものではない。
【００５５】
例えば袋状収納部２の前面２ｃに加えて、側面から背面２ｂにかけて横方向全周に袋状収納部２の内外に露呈する状態で設置することが可能である。また、それ以外の設置形態とすることも可能である。
【００５６】
（３）上記実施形態では、照明装置４の光散乱体１０を照明付きバッグ１の袋状収納部２に１本だけ設置している例を挙げているが、本考案はそれのみに限定されるものではなく、光散乱体１０の設置数は任意である。
【００５７】
（４）上記実施形態では、照明装置４の駆動電源２１を乾電池２５とした例を挙げているが、本考案はそれのみに限定されるものではなく、例えば、各種の二次電池や太陽電池とすることが可能である。その場合には、前記太陽電池を袋状収納部２の上蓋２ａや前面２ｃなどの他、適宜場所の外側に設置することが考えられる。
【産業上の利用可能性】
【００５８】
本考案は、袋状収納部と照明装置とを備える照明付きバッグに好適に利用することが可能である。
【符号の説明】
【００５９】
１      照明付きバッグ
２      袋状収納部
２ａ    上蓋
２ｃ    前面
３Ｌ，３Ｒ    ベルト
４      照明装置
５      線ファスナー
１０      光散乱体
１１      発光体
１２      駆動ユニット
２１      駆動電源
２３      スイッチ
【図１】
0003180653.tif 000003
【図２】
0003180653.tif 000004
【図３】
0003180653.tif 000005
【図４】
0003180653.tif 000006
【図５】
0003180653.tif 000007
【図６】
0003180653.tif 000008
【図７】
0003180653.tif 000009
【図８】
0003180653.tif 000010
【図９】
0003180653.tif 000011